(57)【要約】【課題】複数のプロセスユニットを有する画像形成装置において、ユーザが新品状態のプロセスユニット使用開始時にトナーシールを取り外すという手間を省き、トナーシール自動開封中に電源オフなどによってトナーシールの開封が不完全な状態になっても、トナーシール除去にかかる時間を短縮し、消費電力を低減することを可能とする画像形成装置、更には、斯かる画像形成装置に使用される現像ユニット及びプロセスカートリッジを提供する。【解決手段】プロセスユニット７の現像剤供給開口４１ａを封止している封止部材４６を開封する駆動を与え、封止部材４６を供給開口４１ａを封止している位置から退避させる開封シーケンスを有する画像形成装置において、封止部材４６の駆動量に関わる情報をプロセスユニット毎に記憶する記憶手段を有し、記憶手段に記憶された封止部材４６の駆動量に関わる情報に基づいて開封シーケンスを変更する。【選択図】図３
2006139231.tif 000002
【特許請求の範囲】
【請求項１】
画像形成装置本体に対し着脱可能であって、現像剤を収納する現像剤収納部の現像剤供給開口を封止部材で封止しているプロセスユニットを一つ以上着脱可能に装着する装着部を有し、
前記プロセスユニットの前記現像剤供給開口を封止している前記封止部材を開封する駆動を与え、前記封止部材を前記供給開口を封止している位置から退避させる開封シーケンスを有する画像形成装置において、
前記封止部材の駆動量に関わる情報を前記プロセスユニット毎に記憶する記憶手段を有し、
前記記憶手段に記憶された前記封止部材の駆動量に関わる情報に基づいて前記開封シーケンスを変更することを特徴とする画像形成装置。
【請求項２】
前記記憶手段によって記憶する前記封止部材の駆動量に関わる情報とは、前記プロセスユニットの前記現像剤供給開口を封止している前記封止部材を開封する駆動を与えた時間、又は、駆動モータにて開封駆動を与えた場合の駆動モータの回転総数若しくは駆動パルス総数であることを特徴とする請求項１に記載の画像形成装置。
【請求項３】
前記記憶手段に記憶された前記封止部材を開封する駆動を与えた時間、又は、駆動モータにて開封駆動を与えた場合の駆動モータの回転総数若しくは駆動パルス総数に応じて、前記開封シーケンス実行時に、前記封止部材を開封する駆動を与える時間、回転総数又は駆動パルス総数を判断し、前記開封シーケンスを実行することを特徴とする請求項２に記載の画像形成装置。
【請求項４】
前記プロセスユニットは複数設けられ、前記複数あるプロセスユニットの、前記記憶手段に記憶された前記封止部材の駆動量に関わる情報に応じて、前記複数あるプロセスユニットの前記開封シーケンスを実行する順番及びタイミングを判断して前記開封シーケンスを実行することを特徴とする請求項１〜３のいずれかの項に記載の画像形成装置。
【請求項５】
前記開封シーケンス判断手段は、前記開封シーケンス実行時に、前記封止部材を開封する駆動を与える時間、又は、駆動モータにて開封駆動を与える場合の駆動モータの回転総数若しくは駆動パルス総数を多く必要とする前記封止部材を有する前記プロセスユニットから順に前記開封シーケンスを実行することを特徴とする請求項４に記載の画像形成装置。
【請求項６】
前記封止部材を開封する駆動が同一駆動源である複数のプロセスユニットの構成において、前記開封シーケンス実行時に、前記同一駆動源である複数のプロセスユニットのうち、前記封止部材を開封する駆動を与える時間、又は、駆動モータにて開封駆動を与える場合の駆動モータの回転総数若しくは駆動パルス総数が最も多い時間、又は、回転総数若しくは駆動パルス総数を用いて、前記開封シーケンスを実行することを特徴とする請求項４に記載の画像形成装置。
【請求項７】
前記記憶手段は、前記プロセスユニットに搭載されることを特徴とする請求項１〜６のいずれかの項に記載の画像形成装置。
【請求項８】
前記記憶手段は、前記画像形成装置本体に搭載されることを特徴とする請求項１〜６のいずれかの項に記載の画像形成装置。
【請求項９】
前記カートリッジが未使用状態時において、前記現像剤供給開口を前記封止部材で封止している状態であることを特徴とする請求項１〜８のいずれかの項に記載の画像形成装置。
【請求項１０】
画像形成装置本体に着脱可能な現像ユニットにおいて、
像担持体に形成された静電潜像を現像するための現像剤担持体と、
前記現像剤担持体で用いられる現像剤を収納する現像剤収納部であって、前記現像剤担持体へ前記現像剤を供給するための供給開口を有する現像剤収納部と、
前記現像剤収納部の現像剤供給開口を封止し、前記装置本体に設けられた駆動手段から伝達される駆動力によって前記供給開口を開封する封止部材と、
前記駆動手段による前記封止部材の駆動量に関わる情報を記憶する記憶手段と、
を有することを特徴とする現像ユニット。
【請求項１１】
前記駆動手段は駆動モータであって、
前記記憶手段によって記憶する前記封止部材の駆動量に関わる情報は、前記現像ユニットの前記現像剤供給開口を封止している前記封止部材を開封する駆動を与えた時間、又は、駆動モータにて開封駆動を与えた場合の駆動モータの回転総数若しくは駆動パルス総数であることを特徴とする請求項１０に記載の現像ユニット。
【請求項１２】
前記現像ユニットが未使用状態時において、前記現像剤供給開口を前記封止部材で封止している状態であることを特徴とする請求項１０または１１に記載の現像ユニット。
【請求項１３】
画像形成装置本体に着脱可能なプロセスカートリッジにおいて、
像担持体と、
像担持体に形成された静電潜像を現像するための現像剤担持体と、
前記現像剤担持体で用いられる現像剤を収納する現像剤収納部であって、前記現像剤担持体へ前記現像剤を供給するための供給開口を有する現像剤収納部と、
前記現像剤収納部の現像剤供給開口を封止し、前記装置本体に設けられた駆動手段から伝達される駆動力によって前記供給開口を開封する封止部材と、
前記駆動手段による前記封止部材の駆動量に関わる情報を記憶する記憶手段と、
を有することを特徴とするプロセスカートリッジ。
【請求項１４】
前記記憶手段によって記憶する前記封止部材の駆動量に関わる情報は、前記プロセスカートリッジの前記現像剤供給開口を封止している前記封止部材を開封する駆動を与えた時間、又は、駆動モータにて開封駆動を与えた場合の駆動モータの回転総数若しくは駆動パルス総数であることを特徴とする請求項１３に記載のプロセスカートリッジ。
【請求項１５】
前記現像ユニットが未使用状態時において、前記現像剤供給開口を前記封止部材で封止している状態であることを特徴とする請求項１３または１４に記載のプロセスカートリッジ。
【請求項１６】
画像形成装置本体に対し着脱可能であって、現像剤を収納する現像剤収納部の現像剤供給開口を封止部材で封止しているプロセスユニットを一つ以上着脱可能に装着する装着部を有した画像形成装置の装置本体、又は、前記プロセスユニットに設けるメモリユニットであって、
前記封止部材の駆動量に関わる情報を前記プロセスユニット毎に記憶する記憶手段を有することを特徴とするメモリユニット。
【請求項１７】
前記記憶手段によって記憶する前記封止部材の駆動量に関わるは、前記プロセスユニットの前記現像剤供給開口を封止している前記封止部材を開封する駆動を与えた時間、又は、駆動モータにて開封駆動を与えた場合の駆動モータの回転総数若しくは駆動パルス総数であることを特徴とする請求項１６に記載のメモリユニット。
【請求項１８】
前記プロセスユニットが未使用状態時において、前記現像剤供給開口を前記封止部材で封止している状態であることを特徴とする請求項１６または１７に記載のメモリユニット。
【発明の詳細な説明】
【技術分野】
【０００１】
本発明は、一般に、像担持体上の静電潜像を現像して現像像（トナー像）とする現像手段をカートリッジ化した現像ユニット、及び、像担持体と現像手段とを一体化してカートリッジとしたプロセスカートリッジ（以下、現像ユニット及びプロセスカートリッジを含めて「プロセスユニット」という。）、並びに、プロセスユニットが着脱可能な画像形成装置、更には、記憶手段を備えたメモリユニットに関し、特に、本発明は、像担持体として電子写真感光体を備え、プロセスユニットを画像形成装置本体に着脱可能とする電子写真画像形成装置に好適に実現される。
【０００２】
ここで、電子写真画像形成装置とは、電子写真画像形成方式を用いて記録媒体（例えば、紙、ＯＨＰシート等）に画像を形成するものである。電子写真画像形成装置の例としては、例えば、電子写真複写機、電子写真プリンター（例えば、レーザービームプリンタ、ＬＥＤプリンター等）、ファクシミリ装置、及び、これらの複合機（例えば、マルチファンクションプリンター等）が含まれる。
【背景技術】
【０００３】
従来、電子写真画像プロセスを用いた電子写真画像形成装置においては、電子写真感光体ドラム及び電子写真感光体ドラムに作用する現像手段を備えた現像ユニットなどのようなプロセス手段を一体的にカートリッジ化してプロセスカートリッジを構成し、このプロセスカートリッジを電子写真画像形成装置本体に着脱可能とするプロセスカートリッジ方式が採用されている。このプロセスカートリッジ方式によれば、装置のメンテナンスをサービスマンに頼らずユーザ自身で行うことができるので、格段に操作性を向上させることができる。そこで、このプロセスカートリッジ方式は、電子写真画像形成装置において広く用いられている。
【０００４】
電子写真画像形成装置では、レーザ、ＬＥＤ或いはランプなどの画像情報に対応した光をドラム状の電子写真感光体（以下、「感光体ドラム」という。）に照射する。これによって、感光体ドラムに静電潜像を形成する。そして、この静電潜像を、プロセスカートリッジに一体に組み込まれた現像ユニットにより現像する。さらに、感光体ドラムに形成された現像像（トナー像）を記録媒体へ転写する。これによって、記録媒体に画像を形成している。
【０００５】
上述したプロセスカートリッジを用いる画像形成装置には、図１に示すように、複数のプロセスカートリッジを一列に並べたインライン型のカラー電子写真画像形成装置１００がある。
【０００６】
このような画像形成装置に着脱可能なプロセスカートリッジでは、現像剤（以下「トナー」という。）を収容した現像剤収納部（以下「トナー容器」という。）を、現像剤担持体及び現像剤規制部材などを保持する現像容器に接合し、トナー容器の、現像容器へのトナー供給部となる開口部を、例えばトナーシールのような現像剤封止部材（以下「トナーシール」という。）で封止し、使用開始までの間にトナーが現像容器へ流入しないようにすることが提案されている（例えば、特許文献１参照）。
【０００７】
さらに、単色記録用画像形成装置において画像形成装置本体の駆動源を利用してトナーシールを自動開封することでユーザビリティ性の向上が図られてきた（例えば、特許文献２参照）。
【０００８】
また、これまでの画像形成装置において、トナーシールの状態を検出する手段は、トナーシールが開封済みであるか否かによって流れる電流の差を検出する等の方法が提案されている（例えば、特許文献３参照）。
【０００９】
前記構成のようなプロセスカートリッジからトナーシールの状態を検出する手段を有しない構成においては、トナーシールを開封する一連の動作の終了時点、例えば一定時間トナーシール巻き取り動作を実行した後のタイミングにおいて不揮発メモリ等に開封済みであることを記憶し、不揮発メモリに記憶された情報から開封状態であるか未開封状態であるかを判別する方法がある（例えば、特許文献４参照）。
【００１０】
しかし、トナーシール自動開封のための一連の動作を実行を開始した場合に、そのトナーシール開封動作中に強制的に電源オフされる等によってトナーシールの開封動作が中断されてしまうと、トナーシールが途中まで開封された状態のままになる。その状態で再度電源をオンした場合、トナーシールの開封動作を初めからやり直すことになる。再度やり直した場合には、また所定時間トナーシールを巻き取る動作が実行されるため、トナーシール自動開封のために必要以上の時間がかかったり、必要以上の電力を要してしまう。
【００１１】
さらに、これまでの単色画像形成装置に用いられてきたトナーシールの自動開封機構を複数のプロセスカートリッジを有する画像形成装置に設けることを検討した場合、複数あるプロセスカートリッジの中でトナーシールが取り外された開封状態（既に使用中）のプロセスカートリッジと新品状態でありトナーシールが未開封のプロセスカートリッジとが混在する場合が発生する。
【００１２】
そのため、複数のプロセスカートリッジのうちの新品状態であるプロセスカートリッジを選択し、トナーシール自動開封動作に必要な各画像形成装置本体側の駆動部を選択的に制御する必要があると考えられる。これは、複数のプロセスカートリッジのうちの１つのプロセスカートリッジのトナーシールを開封するために、その他のプロセスカートリッジの各部材やその他画像形成プロセスに係わる部材に駆動が与えられてしまうと、それらが劣化し、装置の寿命が短縮してしまうという弊害を生むからである。
【特許文献１】特開２００３−１２２０９９号公報
【特許文献２】特開２００１−３０５８３９号公報
【特許文献３】特開２００３−２５５８０６号公報
【特許文献４】特開２００４−１２６３３２号公報
【発明の開示】
【発明が解決しようとする課題】
【００１３】
そこで、本発明の目的は、複数のプロセスユニットを有する画像形成装置において、ユーザが新品状態のプロセスユニット使用開始時にトナーシールを取り外すという手間を省き、トナーシール自動開封中に電源オフなどによってトナーシールの開封が不完全な状態になっても、トナーシール除去にかかる時間を短縮し、消費電力を低減することを可能とする画像形成装置、並びに、斯かる画像形成装置に使用される現像ユニット及びプロセスカートリッジ、更には、トナーシールの開封状態を記憶するメモリユニットを提供することにある。
【００１４】
さらに、本発明の他の目的は、画像形成装置の各ユニットの寿命を必要以上に短縮することがなく、また、消費電力を低く抑えることができる封止部材自動開封シーケンスを備えた画像形成装置、並びに、斯かる画像形成装置に使用される現像ユニット及びプロセスカートリッジ、更には、トナーシールの開封状態を記憶するメモリユニットを提供することにある。
【課題を解決するための手段】
【００１５】
上記目的は本発明に係る画像形成装置、並びに、斯かる画像形成装置に使用される現像ユニット及びプロセスカートリッジ、更には、トナーシールの開封状態を記憶するメモリユニットにて達成される。要約すれば、第１の本発明は、
画像形成装置本体に対し着脱可能であって、現像剤を収納する現像剤収納部の現像剤供給開口を封止部材で封止しているプロセスユニットを一つ以上着脱可能に装着する装着部を有し、
前記プロセスユニットの前記現像剤供給開口を封止している前記封止部材を開封する駆動を与え、前記封止部材を前記供給開口を封止している位置から退避させる開封シーケンスを有する画像形成装置において、
前記封止部材の駆動量に関わる情報を前記プロセスユニット毎に記憶する記憶手段を有し、
前記記憶手段に記憶された前記封止部材の駆動量に関わる情報に基づいて前記開封シーケンスを変更することを特徴とする画像形成装置である。
【００１６】
第２の本発明は、
画像形成装置本体に着脱可能な現像ユニットにおいて、
像担持体に形成された静電潜像を現像するための現像剤担持体と、
前記現像剤担持体で用いられる現像剤を収納する現像剤収納部であって、前記現像剤担持体へ前記現像剤を供給するための供給開口を有する現像剤収納部と、
前記現像剤収納部の現像剤供給開口を封止し、前記装置本体に設けられた駆動手段から伝達される駆動力によって前記供給開口を開封する封止部材と、
前記駆動手段による前記封止部材の駆動量に関わる情報を記憶する記憶手段と、
を有することを特徴とする現像ユニットである。
【００１７】
第３の本発明は、
画像形成装置本体に着脱可能なプロセスカートリッジにおいて、
像担持体と、
像担持体に形成された静電潜像を現像するための現像剤担持体と、
前記現像剤担持体で用いられる現像剤を収納する現像剤収納部であって、前記現像剤担持体へ前記現像剤を供給するための供給開口を有する現像剤収納部と、
前記現像剤収納部の現像剤供給開口を封止し、前記装置本体に設けられた駆動手段から伝達される駆動力によって前記供給開口を開封する封止部材と、
前記駆動手段による前記封止部材の駆動量に関わる情報を記憶する記憶手段と、
を有することを特徴とするプロセスカートリッジである。
【００１８】
第４の本発明は、
画像形成装置本体に対し着脱可能であって、現像剤を収納する現像剤収納部の現像剤供給開口を封止部材で封止しているプロセスユニットを一つ以上着脱可能に装着する装着部を有した画像形成装置の装置本体、又は、前記プロセスユニットに設けるメモリユニットであって、
前記封止部材の駆動量に関わる情報を前記プロセスユニット毎に記憶する記憶手段を有することを特徴とするメモリユニットである。
【発明の効果】
【００１９】
本発明によれば、
（１）プロセスユニットから封止部材（即ち、トナーシール）の状態を検出する手段を有しない構成においても、記憶手段に記憶されているトナーシールの開封駆動を与えた駆動量から算出された必要最小限の開封に必要な駆動によってトナーシール開封動作を行うことにより、トナーシールの開封時の各ユニットの寿命を必要以上に短縮しないことが可能である。また、
（２）これまで単色画像形成装置において用いられているトナーシールの自動開封を、プロセスユニットを複数有する画像形成装置に搭載した場合も、記憶されているトナーシールに関する情報により、複数のプロセスユニットのトナーシール開封に必要な駆動の順番及びタイミングを選択的に与えトナーシールを開封することによって、全てのトナーシールの開封に必要な時間を最小限に抑えることが可能である。
【発明を実施するための最良の形態】
【００２０】
以下、本発明に係る画像形成装置について、更には、本発明の特徴部分を構成する画像形成装置における封止部材の巻き取り構成を図面に則して更に詳しく説明する。
【００２１】
実施例１
図１は、本発明に係る画像形成装置の一実施例であるカラー電子写真画像形成装置の全体構成を示しており、先ず、図１を参照して、カラー電子写真画像形成装置の全体構成について説明する。
【００２２】
（画像形成装置の全体構成）
図１を参照すると、カラー電子写真画像形成装置１００は、画像形成装置本体１００Ａに、垂直方向に並設した４個のプロセスカートリッジ装着部８０（８０Ｃ、８０Ｙ、８０Ｍ、８０Ｂｋ）が設けられる。前記装着部８０（８０Ｃ、８０Ｙ、８０Ｍ、８０Ｂｋ）に着脱可能に装着されたカートリッジ７（７Ｃ、７Ｙ、７Ｍ、７Ｂｋ）は、夫々１個の像担持体としてのドラム状の電子写真感光体、即ち、感光体ドラム１（１Ｃ、１Ｙ、１Ｍ、１Ｂｋ）を備えている。感光体ドラム１は、駆動手段Ｄ（図３参照）によって、図１にて、矢印方向反時計回りに回転駆動される。
【００２３】
感光体ドラム１の周囲には、その回転方向に従って順に、感光体ドラム１表面を均一に帯電する帯電手段２（２Ｃ、２Ｙ、２Ｍ、２Ｂｋ）、露光手段としての画像情報に基づいてレーザービームを照射し感光体ドラム１に静電潜像を形成するスキャナユニット３（３Ｃ、３Ｙ、３Ｍ、３Ｂｋ）、前記静電潜像を現像剤であるトナーを用いて現像し、現像像、即ち、トナー像を形成する現像手段としての現像ユニット４（４Ｃ、４Ｙ、４Ｍ、４Ｂｋ）、感光体ドラム１上のトナー像を記録媒体Ｓに転写させる静電転写手段１２（１２Ｃ、１２Ｙ、１２Ｍ、１２Ｂｋ）、転写後の感光体ドラム１表面に残ったトナーを除去するクリーニング手段６（６Ｃ、６Ｙ、６Ｍ、６Ｂｋ）が配置されている。
【００２４】
ここで、本実施例では、図２をも参照するとより良く理解されるように、感光体ドラム１と、帯電手段２、現像ユニット４及びクリーニング手段６と、は一体的にカートリッジ化されプロセスカートリッジ７（７Ｃ、７Ｙ、７Ｍ、７Ｂｋ）を構成している。
【００２５】
感光体ドラム１は、例えば直径３０ｍｍのアルミシリンダの外周面に有機光導電体層（ＯＰＣ感光体）を塗布したものである。感光体ドラム１は、その両端部を支持部材（図示せず）によって回転自在に支持されている。図３に示すように、感光体ドラム１の一方端部にドラムギア１１４が配置されており、駆動モータ１０１からの駆動力が駆動ギア列を介して伝達される。これにより感光体ドラム１は、反時計方向（図２にて矢印Ｘ方向）に回転駆動される。
【００２６】
帯電手段２（２Ｃ、２Ｙ、２Ｍ、２Ｂｋ）は、本実施例では、図２に示すような接触帯電方式のものを使用する。帯電手段としての帯電部材２は、ローラ状に形成された導電性ローラであり、このローラ２を感光体ドラム１表面に当接させる。そして、このローラ２に帯電バイアス電圧を印加する。これにより、感光体ドラム１表面を一様に帯電させる。
【００２７】
図１にて、スキャナユニット３（３Ｃ、３Ｙ、３Ｍ、３Ｂｋ）は、感光体ドラム１の略水平方向に配置されている。そして、レーザーダイオード（不図示）によって画像信号に対応する画像光が、スキャナモーター（不図示）によって回転されるポリゴンミラー９（９Ｃ、９Ｙ、９Ｍ、９Ｂｋ）に照射される。ミラー９に反射した画像光は、結像レンズ１０（１０Ｃ、１０Ｙ、１０Ｍ、１０Ｂｋ）を介して帯電済みの感光体ドラム１表面を選択的に露光する。これによって、画像信号に応じた静電潜像を形成する。
【００２８】
図２をも参照すると理解されるように、現像ユニット４（４Ｃ、４Ｙ、４Ｍ、４Ｂｋ）は、それぞれ、現像剤（トナー）を収納した現像剤収納部、即ち、トナー容器４１（４１Ｃ、４１Ｙ、４１Ｍ、４１Ｂｋ）、及び、現像枠体、即ち、現像容器４５（４５Ｃ、４５Ｙ、４５Ｍ、４５Ｂｋ）を有する。
【００２９】
つまり、トナー容器４１に関して言えば、シアン現像ユニット４Ｃはシアン色のトナーを収納したトナー容器４１Ｃ、イエロー現像ユニット４Ｙはイエロー色のトナーを収納したトナー容器４１Ｙ、マゼンタ現像ユニット４Ｍはマゼンタ色のトナーを収納したトナー容器４１Ｍ、及び、ブラック現像ユニット４Ｂｋはブラック色のトナーを収納したトナー容器４１Ｂｋを有する。各トナー容器４１内には、感光体ドラム１と対向して、現像剤を担持搬送する現像剤担持体としての現像ローラ４０が配置されている。
【００３０】
図２にて、トナー容器４１内の現像剤、即ち、トナーは、トナー搬送攪拌機構４２によってトナー供給ローラ４３へ送り込まれる。次いで、トナーは、トナー供給ローラ４３、及び、現像ローラ４０の外周に圧接された現像ブレード４４によって、現像ローラ４０の外周に塗布され、且つ、トナーに電荷が付与される。そして、現像ローラ４０に現像バイアスを印加することにより、感光体ドラム１に形成された潜像を現像し、トナー像とする。
【００３１】
一方、図１に示すように、画像形成装置１００には、全ての感光体ドラム１（１Ｃ、１Ｙ、１Ｍ、１Ｂｋ）に対向し、接するように循環移動する静電転写ベルト１１が配設されている。前記転写ベルト１１は１０11〜１０14Ω・ｃｍの体積固有抵抗を有する厚さ約１５０μｍのフィルム状部材である。そして、記録媒体Ｓは、前記転写ベルト１１により転写位置まで搬送され、感光体ドラム１上のトナー画像を転写される。
【００３２】
つまり、前記転写ベルト１１は、駆動ローラ１３、従動ローラ１４ａ、１４ｂ、テンションローラ１５の４本のローラにより掛け渡され、図１の矢印方向に回動する。これにより、前記転写ベルト１１が循環移動して、記録媒体Ｓが従動ローラ１４ａ側から駆動ローラ１３側へ搬送される間にトナー画像を転写される。
【００３３】
尚、この転写ベルト１１の内側に当接して、４個の感光体ドラム１（１Ｃ、１Ｙ、１Ｍ、１Ｂｋ）に対向した位置に転写手段としての転写ローラ１２（１２Ｃ、１２Ｙ、１２Ｍ、１２Ｂｋ）が並設されている。これら転写ローラ１２から正極性の電荷が転写ベルト１１を介して記録媒体Ｓに印加される。これにより、記録媒体Ｓに感光体ドラム１上のトナー画像が転写される。
【００３４】
給送部１６は、画像形成部に記録媒体Ｓを給送搬送するものである。複数枚の記録媒体Ｓが給送カセット１７に収納されている。画像形成時には給送ローラ１８、及び、レジストローラ対１９が画像形成動作に応じて駆動回転する。これによって前記カセット１７内の記録媒体Ｓを１枚毎分離給送する。そして、記録媒体Ｓの先端は、前記ローラ対１９に突き当たり一旦停止する。記録媒体Ｓは、前記転写ベルト１１の回転とトナー画像との同期をとって、レジストローラ対１９によって転写ベルト１１へ給送される。
【００３５】
定着部２０は、記録媒体Ｓに転写された複数色のトナー画像を定着させるものである。回転する加熱ローラ２１ａと、これに圧接して記録媒体Ｓに熱及び圧力を与える加圧ローラ２１ｂとを有する。即ち、感光体ドラム１上のトナー画像を転写された記録媒体Ｓは、定着部２０を通過する際に、定着ローラ対２１（２１ａ、２１ｂ）で搬送される。そして、定着ローラ対２１によって熱及び圧力を与えられる。これによって複数色のトナー画像が記録媒体Ｓ表面に定着される。
【００３６】
（画像形成動作）
先ず、プロセスカートリッジ７（７Ｃ、７Ｙ、７Ｍ、７Ｂｋ）が、画像形成のタイミングに合わせて順次駆動される。その駆動に応じて感光体ドラム１（１Ｃ、１Ｙ、１Ｍ、１Ｂｋ）が回転駆動され、そして、各々のカートリッジ７に対応するスキャナユニット３（３Ｃ、３Ｙ、３Ｍ、３Ｂｋ）が順次駆動される。この駆動により、帯電手段２（２Ｃ、２Ｙ、２Ｍ、２Ｂｋ）は、感光体ドラム１の周面に一様な電荷を付与する。スキャナユニット３は、その感光体ドラム１周面に画像信号に応じて露光を行って、感光体ドラム１上に静電潜像を形成する。現像ローラ４０は、前記静電潜像を現像する。
【００３７】
前述した通り、記録媒体Ｓは、各感光体ドラム１と転写ローラ１２との間に形成される電界によって、各感光体ドラム１のトナー画像を順次転写される。４色のトナー画像を転写された記録媒体Ｓは、駆動ローラ１３の曲率により転写ベルト１１から曲率分離される。そして、定着部２０に搬入される。記録媒体Ｓは、定着部２０で上記トナー画像を熱定着された後、排出ローラ対２３によって、排出部２４から本体外に排出される。
【００３８】
（プロセスカートリッジ）
次に、図２を参照して、本発明を実施したプロセスカートリッジ７（７Ｃ、７Ｙ、７Ｍ、７Ｂｋ）について説明する。図２は、トナーを収納したプロセスカートリッジ７の主断面である。
【００３９】
尚、本実施例にて、シアン色のトナーを収納したプロセスカートリッジ７Ｃ、イエロー色のトナーを収納したプロセスカートリッジ７Ｙ、マゼンタ色のトナーを収納したプロセスカートリッジ７Ｍ、ブラック色のトナーを収納したプロセスカートリッジ７Ｂｋは、同一構成とされる。
【００４０】
プロセスカートリッジ７は、感光体ドラム１と、帯電手段２及びクリーニング手段６と、を備えた第一枠体としての感光体ドラムユニット５０、及び、現像手段を有する第二枠体としての現像ユニット４に分かれている。現像ユニット４は、支持軸（支点）Ｐにて揺動可能に感光体ドラムユニット５０に取り付けられており、バネ５５の押圧力により、現像ローラ４０は感光体ドラム１に当接している。
【００４１】
感光体ドラムユニット５０は、感光体ドラム１が軸受（図示せず）を介してクリーニング枠体５１に回転自在に取り付けられている。感光体ドラム１の周上には、上述のように、感光体ドラム１の表面を一様に帯電させるための一次帯電手段２、及び感光体ドラム１上に残った現像剤（トナー）を除去するためのクリーニングブレード６０が配置され、さらにクリーニングブレード６０によって感光体ドラム１表面から除去された残留トナーは、トナー送り機構５２によってクリーニング枠体後方に設けられた廃トナー室５１ａに順次送られる。そして、図示後方の一方端に設けた駆動モータ１０１（図３参照）の駆動力を伝達することにより、感光体ドラム１を画像形成動作に応じて図示Ｘ方向（反時計回り）に回転駆動させる。
【００４２】
ここで、図３を参照して、プロセスカートリッジ７の駆動伝達手段Ｄについて説明する。
【００４３】
装置本体１００Ａに設けられた本体モータ１０１の駆動力が駆動ギヤ１０２から段ギア１０３（１０３ａ、１０３ｂ）に伝達される。段ギア１０３からの駆動は分岐されて、段ギア１０３ａにより感光体ドラム側のギヤ１０４に伝わり、段ギア１０３ｂにより現像容器側のギア１０５に伝達される。
【００４４】
現像容器側のギア１０５の駆動は、ギア１０６、ギア１０７、段ギア１０８、及びギア１０９に伝達され、トナー供給ローラ４３を駆動する。トナー供給ローラ４３の駆動力は、トナー供給ローラ軸の他方端に設けられたギア１１０を駆動し、このギヤ１１０の駆動は、ギア１１１及びウォームギア１１２を介してギア１１３に伝達される。現像ローラ４０は、その軸端が段ギア１０８に接続されており、駆動力が伝達される。
【００４５】
また、ギア１１３は、封止部材４６の巻き取り軸５４に一体に形成されており、ギア１１３に駆動が伝わることにより、ギア１１３に一体に設けられた巻き取り軸５４に駆動が伝わる。
【００４６】
一方、上述のように、段ギア１０３ａにより感光体ドラム側のギヤ１０４に伝達された駆動力は、ギア１０４からギア１１４に伝達し、感光体ドラム１を駆動する。
【００４７】
現像ユニット４は、図２にて、感光体ドラム１と接触して矢印Ｙ方向に回転する現像剤担持体としての現像ローラ４０、現像ローラ４０を配置した現像容器（現像枠体）４５、及び、トナーが収容されたトナー容器４１と、にて構成される。
【００４８】
現像ローラ４０は、回転自在に現像容器４５に支持され、また現像ローラ４０の周上には、現像ローラ４０と接触して矢印Ｚ方向に回転する現像材供給部材、即ち、トナー供給ローラ４３と現像剤規制部材としての現像ブレード４４がそれぞれ配置されている。さらに、トナー容器４１内には、収容されたトナーを撹拌するとともにトナー供給ローラ４３に搬送するためのトナー搬送攪拌機構４２が設けられている。
【００４９】
現像時、トナー搬送攪拌機構４２によって、収納されたトナーがトナー供給ローラ４３へ搬送されると、図中矢印方向に回転するトナー供給ローラ４３が、そのトナーを図中矢印方向に回転する現像ローラ４０との摺擦によって現像ローラ４０に供給し、現像ローラ４０上に担持させる。現像ローラ４０上に担持されたトナーは、現像ローラ４０の回転に伴い現像ブレード４４のところに至り、現像ブレード４４がトナーを規制して所定のトナー薄層に形成する。規制されたトナーは、現像ローラ４０の回転につれて、現像剤帯電手段としての帯電ローラ７０へ至り、所望の帯電電荷量が付与される。
【００５０】
さらに、現像ローラ４０上のトナー薄層は、感光体ドラム１と現像ローラ４０とが接触した現像部に搬送され、現像部において、図示しない電源から現像ローラ４０に印加した直流現像バイアスにより、感光体ドラム１の表面に形成されている静電潜像に付着して、潜像を現像する。現像に寄与せずに現像ローラ４０の表面に残留したトナーは、現像ローラ４０の回転に伴い現像容器４５内に戻され、トナー供給ローラ４３との摺擦部で現像ローラ４０から剥離、回収される。回収されたトナーは、トナー搬送攪拌機構４２により残りのトナーと撹拌混合される。
【００５１】
本実施例のように、感光体ドラム１と現像ローラ４０が接触して現像を行なう接触現像方式においては、感光体ドラム１は剛体とし、現像ローラ４０は弾性体を有するローラとすることが好ましい。この弾性体としては、ソリッドゴム単層やトナーへの帯電付与性を考慮してソリッドゴム層上に樹脂コーティングを施したもの等が用いられる。
【００５２】
図１及び図２に示すように、プロセスカートリッジ７の画像形成装置本体１００Ａへの装着は、プロセスカートリッジ７を矢印方向から、装置本体１００Ａに設けられたプロセスカートリッジガイド（図示せず）に沿って本体内部へとガイドして挿入して装着部８０（８０Ｃ、８０Ｙ、８０Ｍ、８０Ｂｋ）に装着し、所定位置に位置決めすることにより行われる。
【００５３】
次に、図４、図５を参照して、現像ユニット４の現像剤の供給開口部４１ａを封止する封止部材４６と、この封止部材４６を退避させ供給開口部４１ａを開放するための封止部材巻き取り構成について説明する。
【００５４】
（封止部材巻き取り構成）
図４及び図５は、現像容器４５と、トナー容器４１の開口部４１ａに取り付けられた封止部材、即ち、トナーシール４６とを示している。ここで、トナーシール４６は、シート状に形成されており、図５におけるトナー容器４１の開口部４１ａを塞ぐように、溶着面４１ｂに溶着や接着等の手段により貼り付けられることで開口部４１ａを封止している。
【００５５】
また、このトナーシール４６は、開口部４１ａの長手方向の一端４６ａで折り返されて、長手方向逆側の一端で退避部材である巻き取り軸５４に取り付けてある。トナーシール４６と巻き取り軸５４は、図示しない粘着部材により固定されている。このトナーシール４６は、端部を矢印Ｘ１方向へ引っ張ることで、トナー容器４１の開口部４１ａから開封、または、剥離される。トナーシール４６の開封、または、剥離は、巻き取り軸５４が矢印Ｘ２方向に回転することによって行われる。巻き取り軸５４への駆動は以下のように行われる。
【００５６】
先ず、図３を参照して説明したように、画像形成装置本体１００Ａに設けられた駆動手段Ｄの本体モータ１０１からの駆動力が、駆動ギア列を介して、プロセスカートリッジ７にある現像ユニット４内の現像ローラ４０、トナー供給ローラ４３及びトナー搬送攪拌機構４２へ駆動力を伝達する。
【００５７】
この駆動力は、トナー供給ローラ４３を介して長手方向逆側へと伝達され、退避部材である巻き取り軸５４の駆動を行う。
【００５８】
一方、本実施例では、図１に示すように、画像形成装置本体１００Ａの装着部８０（８０Ｃ、８０Ｙ、８０Ｍ、８０Ｂｋ）に装着されたプロセスカートリッジ７に隣接して、現像離間板８が配置される。
【００５９】
本実施例によると、この現像離間板８は、垂直方向に延在した作動軸８ｘと、作動軸８ｘに一体に形成され、各現像ユニット４（４Ｃ、４Ｙ、４Ｍ、４Ｂｋ）に設けられた突起部材５（５Ｃ、５Ｙ、５Ｍ、５Ｂｋ）に係合する作動片８ｙ（８ｙＣ、８ｙＹ、８ｙＭ、８ｙＢｋ）とを有する。従って、現像離間板８を作動し、作動軸８ｘを上方に移動することにより、作動片８ｙが現像ユニット４の突起部材５に係合して現像ユニット４をバネ５５の付勢力に抗して支点Ｐ（図２）の周りに揺動し、感光体ドラム１に対する現像ローラ４０の当接又は離間動作を行う。
【００６０】
このため感光体ドラム１と現像ローラ４０が当接状態時には本体モータ１０１からの駆動力が現像ローラ４０に伝達されるが、離間状態時には駆動力が伝達されない。従って、トナーシール４６を開封するためには現像離間板８を作動して、感光体ドラム１と現像ローラ４０が当接位置に移動させる必要がある。
【００６１】
このような構成とすることで、トナーシール４６を開封するために別の駆動源を配置する必要が無く、省スペースで且つ簡単な構成で駆動を得ることが可能である。
【００６２】
なお、トナーシール４６としては、上述したような、１つのシートを折り返して用いるイージーピール方式の他、トナー容器４１の開口部４１ａを封止するカバーフィルムとカバーフィルムを引き裂くためのテアテープを組み合わせたものもあるが、勿論、このようなトナーシール４６に対しても本発明は適用可能である。
【００６３】
また、トナー容器４１の開口部４１ａを封止する封止部材を、ここではシート状のトナーシール４６として述べているが、封止部材４６が板状であり、封止部材４６がカートリッジの長手方向（即ち、感光体ドラム１の軸方向）、若しくは、短手方向にスライド移動することで、トナー容器４１の開口部４１ａを開封する構成でもよい。
【００６４】
（全体システム構成）
本実施例の画像形成装置のシステム構成について、図６のシステムブロック図を用いて説明する。
【００６５】
画像形成装置１００全体のシステム制御を行うエンジンコントローラ６１の内部には、不図示の中央演算処理装置（ＣＰＵ）が設けてあり、画像形成装置の一連のシステム処理は中央演算処理装置（ＣＰＵ）の内部に予め記憶されたプログラムに従って行われる。高圧電源６２は、帯電手段２に直流電圧に交流電圧を重畳した現像バイアスを印加し、転写手段１２に直流電圧である転写バイアスを、また、定着手段２０に直流電圧である定着バイアスを生成する。装置内にはセンサ群６３が配置され、又、装置の状態を表示する表示部６４が設けられている。また、システムとしては、カートリッジ７に搭載されたメモリユニットＭに対して情報を読み書きするためのリーダライタＲＷ、読み書きするデータを処理するメモリ制御回路６５、及び、上記駆動手段Ｄを含む駆動部６６を備えている。
【００６６】
（メモリユニットと検知情報処理手段）
カートリッジ７に搭載されたメモリユニットＭ（図２参照）は、カートリッジ情報格納手段であり、また、画像形成装置１００に搭載されたメモリ制御回路６５は、検知情報処理手段である。
【００６７】
メモリユニットＭは、内部に不揮発性の記憶素子（記憶手段）を内蔵しており、画像形成装置間とのデータ通信を行うことで、データの書き込み、及び、データの読み出しを行うことができる。データ通信の制御は全てメモリ制御回路６５で行われる。
【００６８】
データ通信は、メモリユニットＭ内に設けられたアンテナと、画像形成装置本体１００Ａに設けられた読み書き装置ＲＷとにより行われる。プロセスカートリッジ７を画像形成装置本体１００Ａに装着すると、メモリユニットＭのアンテナ部と画像形成装置本体１００Ａに設けられた読み書き装置ＲＷが接近し、通信が可能な状態となる（図２参照）。
【００６９】
また、メモリユニットＭ内部には電源回路が設けられており、内部で使用する直流電源は全てこの電源回路から供給する。電源回路では２つのアンテナの磁気結合によりアンテナに発生する電流を整流することで直流電圧を生成する。
【００７０】
メモリユニットＭにはカートリッジ７のトナーシール４６に関わる情報が記憶される。トナーシール４６に関わる情報とは、図７に示すように、トナーシール４６が開封済みであるか否かという情報、トナーシール４６を開封する駆動を与えた総時間情報、である。それぞれの情報は、エンジンコントローラ６１の指示に基づきメモリ制御回路によって、それぞれの記憶領域に記憶・更新される。
【００７１】
トナーシール４６が開封済みであるか否かを示す情報は、プロセスカートリッジ７の初期状態において未開封状態であることを示す“０”が記憶されており、トナーシール開封動作が終了した時点でトナーシール４６が開封済みである状態を示す“１”の情報を記憶し、トナーシールが開封済みであるか否かを判断する。トナーシール４６を開封する駆動を与えた総時間は、トナーシール４６に開封駆動を与えている時間（秒数）を記憶したものであり、初期状態では開封駆動を与えていないことを示す“０”が記憶されており、トナーシール４６に開封駆動を与えた時間をカウントし、１秒単位でメモリユニットＭに記憶される。
【００７２】
（トナーシールの退避シーケンス）
前述したプロセスカートリッジ７に搭載されたメモリユニットＭと前記画像形成装置本体１００Ａに搭載されたメモリ制御回路６５により、メモリユニットＭに、プロセスカートリッジ７のトナーシール４６が未開封状態であるという情報があれば、トナー容器４１の開口部４１ａを開放すべく、上記エンジンコントローラ６１を介し、駆動手段Ｄからの駆動力を前記プロセスカートリッジ７に伝達する。
【００７３】
以上により画像形成装置本体１００Ａが有する駆動モータ１０１を用いてプロセスカートリッジ７へ駆動を伝達することでトナー容器４１の開口部４１ａを自動で開放することができ、メモリユニットＭ及びメモリ制御回路６５によって、画像形成装置本体１００Ａに挿入されたトナーシール４６が未開封状態のプロセスカートリッジ７にのみ選択的に駆動を伝達する。
【００７４】
次に、本発明の特徴である画像形成装置本体１００Ａに挿入されたトナーシール４６が未開封状態のプロセスカートリッジをメモリユニットＭに記憶されているトナーシール４６を開封する駆動を与えた総時間によって、トナーシール４６の開封に必要な駆動時間を変更する手段を備える画像形成装置のトナーシール開封シーケンスについて、図８のフローチャートを用いて説明する。
【００７５】
先ず、プロセスカートリッジ７を画像形成装置本体１００Ａに装着すると（Ｓ１０）、画像形成装置１００のメモリ制御回路６５がプロセスカートリッジ７に取り付けられたメモリユニットＭからカートリッジ情報を読み取る（Ｓ１１）。このカートリッジ情報には、トナーシール４６の状態に関わる情報である、トナーシール４６が開封済みであるか否かという情報、トナーシール４６を開封する駆動を与えた総時間が含まれる。
【００７６】
次に、装着されたプロセスカートリッジ７にトナーシールの開封が終了していないものがあるか否かを、トナーシールが開封済みであるか否かを表す情報によって判断し（Ｓ１２）、トナーシール未開封のプロセスカートリッジがない場合、即ち、装着された全てのプロセスカートリッジにてトナーシールの開封が終了している場合（Ｓ１２にてＮＯの場合）は、直ちに本シーケンスを終了する。
【００７７】
トナーシール未開封のプロセスカートリッジがある場合（Ｓ１２にてＹＥＳの場合）は、メモリユニットＭから読取ったトナーシール４６を開封する駆動を与えた総時間により、トナーシール４６の開封に必要な残り時間を算出する（Ｓ１３）。トナーシール４６の開封に必要な残り時間は、トナーシール４６を開封済みと判断する開封駆動総時間とトナーシール４６を開封する駆動を与えた総時間との時間差とする。トナーシールを開封済みと判断する開封駆動総時間は、画像形成装置１００を制御するエンジンコントローラ６１のＣＰＵ内部に予め記憶されたプログラムに格納されている。また、メモリユニットＭにトナーシールを開封済みと判断する開封駆動総時間を記憶し、カートリッジ情報読出し時に読み出す構成としても良い。
【００７８】
次に、トナーシールの開封駆動を開始し（Ｓ１４）、トナーシールの開封駆動開始時からトナーシール４６を開封する駆動を与えた時間をカウントする。
【００７９】
トナーシール開封駆動中は、トナーシール４６を開封する駆動を与えた総時間を１秒毎にメモリユニットＭへの書き込みを実行する（Ｓ１５）。そしてトナーシールを開封済みと判断する開封駆動総時間時間を越えるまで、前記動作を繰り返す（Ｓ１６）。トナーシール４６を開封する駆動を与えた時間がトナーシール４６が開封済みであると判断される時間に到達すると、トナーシールが開封済みであるという情報をメモリユニットＭに書き込み（Ｓ１７）、本シーケンスを終了する。
【００８０】
本制御により、プロセスカートリッジ７からトナーシール４６の開封状態を検出する手段を有しない構成においても、メモリユニットＭにトナーシール４６の開封駆動を与えた時間を記憶させることによって、トナーシール４６の開封駆動を与えた時間からトナーシール４６の状態を判断し、残りのトナーシール４６の開封に必要な時間を算出し、必要最小限のトナーシールの開封駆動量によりトナーシールを開封することが可能となる。
【００８１】
例えば、トナーシールの開封動作が途中で中断されてしまった場合においても、メモリユニットＭに記憶されている情報によって、トナーシール開封動作に必要な動作を最小限に抑えることが可能になり、トナーシールの開封に必要な時間の短縮、及びトナーシールの開封駆動に必要な各ユニットの寿命を必要以上に短縮しないことが可能となる。
【００８２】
また、上記実施例では、本発明がインライン型のカラー電子写真画像形成装置１００に具現化されるものとして説明したが、本発明はこれに限定されるものではなく、例えば、複数の現像ユニットを回転体に着脱自在に搭載した回転現像装置を備えた画像形成装置にも同様に適用し、同様の作用効果を達成することができる。
【００８３】
実施例２
本発明の画像形成装置におけるプロセスカートリッジの封止部材の除去方法の他の実施例について説明する。本実施例においても、実施例１で、図１〜図７を参照して説明した画像形成装置１００及びプロセスカートリッジ７、画像形成装置のシステム構成が使用される。従って、画像形成装置１００及びプロセスカートリッジ７、並びに、画像形成装置のシステム構成の説明は実施例１を援用し、ここでは再度の説明は省略する。
【００８４】
本実施例は、複数の未開封であると判断されたプロセスカートリッジ７において、メモリユニットＭに記憶されているトナーシール４６の駆動量により、トナーシール開封駆動を行う順番及びタイミングの制御様態について説明する。
【００８５】
本実施例においても、実施例１で説明した図８に示すフローチャートに従ったトナーシールの開封制御が行われ、トナーシール４６の開封駆動を行っているプロセスカートリッジ７のメモリユニットＭにはトナーシールの開封駆動総時間が書き込まれているものとする。
【００８６】
ここで、２つ以上のプロセスカートリッジ７のトナーシール４６が未開封状態であると判断された場合に、トナーシールの開封駆動を行う駆動モータ１０１が最も電力を必要とする加速動作期間に、複数の駆動モータ１０１の同時加速動作開始による電力負荷集中を避けるために、駆動モータ１０１の駆動開始のタイミングをずらした場合、本実施例では、図９に示すタイムテーブル（ａ）に従ったトナーシール開封動作が行われる。
【００８７】
図９のタイムテーブル（ａ）はトナーシール４６が未開封状態であると判断された、第一のプロセスカートリッジ、第二のプロセスカートリッジ、第三のプロセスカートリッジのそれぞれにおいてトナーシール４６の開封駆動に必要な残り駆動時間を比較し、トナーシール４６の開封駆動時間を最も必要とするプロセスカートリッジ７から順に開封駆動を与えることを示すタイムテーブルである。
【００８８】
トナーシール４６の開封に必要な駆動時間（図９斜め斜線部）は、実施例１で説明した方法により算出され、本実施例では、第三のプロセスカートリッジが最も開封駆動時間が必要な状態であり、第一、第二のプロセスカートリッジの順に必要な開封駆動時間が少ない状態を示している。
【００８９】
従って、本実施例では、初めに第三のプロセスカートリッジのトナーシール開封駆動を開始する。時間Ｔ（図９に図示）経過後、次に開封に時間の必要な第一のプロセスカートリッジの開封駆動を開始する。時間Ｔは、トナーシール４６の開封駆動を与える駆動モータ１０１がトナーシール開封時の速度に達するまでの加速駆動に必要な時間である。そして、時間Ｔ経過後、第二のプロセスカートリッジのトナーシールの開封駆動を開始する。
【００９０】
それぞれのプロセスカートリッジ７はトナーシール４６の開封駆動を開始後、開封駆動時間をカウントし、開封駆動総時間を定期的にメモリユニットＭに記憶し、トナーシール４６の開封が終了した時点で開封駆動を停止し、終了したプロセスカートリッジのメモリユニットＭに、開封済みであることを示す情報を書き込み、トナーシール開封動作を終了する。
【００９１】
図９のタイムテーブル（ｂ）は、第一のプロセスカートリッジから、第二、第三のプロセスカートリッジと順番に、時間Ｔの間隔を空けてトナーシールの開封動作を行った場合のタイムテーブルである。タイムテーブル（ａ）と比較し、トナーシール開封駆動を行っているプロセスカートリッジが同時に開封駆動を行っている時間が少ないため、全てのトナーシール引きに必要な時間が多く必要となっていることが分かる。
【００９２】
複数の駆動源１０１に与える電力に余力がある場合は、同時にトナーシール４６の開封駆動動作を行うことにより開封駆動に必要な時間を最も短縮できることは言うまでもない。
【００９３】
メモリユニットＭに記憶されているトナーシール４６の駆動量から算出される開封に必要な駆動量が多いトナーシール４６から開封駆動を開始する順番を制御することにより、トナーシール開封駆動を出来る限り同時に行うようにしたことによって、全てのトナーシール開封に必要な時間を必要最小限に抑えるトナーシール開封シーケンスを提供することが出来る。
【００９４】
実施例３
上記実施例１、２においては、図３に示すように、画像形成装置は、画像形成装置本体１００Ａに設けられた駆動モータ１０１をプロセスユニット毎に制御できる構成を有するものとして説明した。
【００９５】
しかし、本実施例によれば、画像形成装置が複数のプロセスユニットを有しており、又、各プロセスユニットの駆動源として一つの駆動モータ１０１を共用して使用し、各プロセスユニットに対しては、駆動モータ１０１の駆動をギア列によって伝達する構成とすることもできる。
【００９６】
このような構成の本実施例の画像形成装置（不図示）においては、図１０に示すタイムテーブル（ａ）に従ったトナーシール開封動作を行うことができる。
【００９７】
つまり、図１０に示すタイムテーブル（ａ）は、第一のプロセスカートリッジを駆動可能とする駆動モータと、第二、第三のプロセスカートリッジにおける同一の駆動源とする駆動モータの駆動開始及び駆動停止タイミングを示している。
【００９８】
同一の駆動源を用いる第二、第三のプロセスカートリッジにおいては、トナーシール４６の開封駆動時間を最も必要とするプロセスカートリッジである第三のプロセスカートリッジのトナーシール開封駆動時間を用いてトナーシール４６の開封駆動を行う。
【００９９】
図１０に示すタイムテーブル（ｂ）は、図９で説明した制御と同様で、順にトナーシール４６の開封動作を行った場合のタイムテーブルであり、図１０に示すタイムテーブル（ａ）と比較し、トナーシール開封駆動を行っているプロセスカートリッジが同時に開封駆動を行っている時間が少ないため、全てのトナーシール引きに必要な時間が多く必要となっていることが分かる。
【０１００】
本実施例の構成の画像形成装置においても、トナーシールの開封駆動時間が多いトナーシールから開封駆動を開始することにより、全てのトナーシール開封に必要な時間を必要最小限に抑えるトナーシール開封シーケンスを提供することが出来る。
【０１０１】
実施例１、実施例２では、メモリユニットＭにトナーシール４６を開封する駆動を与えた総時間を記憶する構成とした、しかし、トナーシールの開封駆動を行う駆動モータ１０１の回転総数、駆動モータ１０１がパルス駆動するモータである場合は、駆動モータ１０１の駆動パルス総数をメモリユニットＭに記憶する構成として、トナーシール４６の開封時に、トナーシールの開封に必要な駆動モータ１０１の回転数又は駆動パルス数を算出する等の方法においても同様の作用効果を得ることが可能である。
【０１０２】
また、トナーシールの開封が完了するのに必要な総時間はプロセスカートリッジ７に搭載されるメモリユニットＭに記憶される構成として説明した。しかし、画像形成装置本体１００Ａに設けたメモリユニット、例えば本体メモリユニット６７（図６）などに記憶手段が搭載される構成においては、画像形成装置本体１００Ａのメモリユニット記憶手段にトナーシール４６の駆動量を記憶する構成をとることによっても同様の作用効果を得ることが可能である。
【０１０３】
なお、上述した実施例１〜３において、感光体ドラム１と、帯電手段２及びクリーニング手段６と、を備えた第一枠体としての感光体ドラムユニット５０、及び、現像手段を有する第二枠体としての現像ユニット４を一体化した構成のプロセスカートリッジを用いる系で説明したが、プロセスカートリッジの構成としてはこれに限らず、例えば、第二枠体としての現像ユニット４（現像カートリッジ）を画像形成装置本体に着脱可能とする構成として、現像ユニット４に記憶手段を設けて本発明を適用することが可能である。
【図面の簡単な説明】
【０１０４】
【図１】本発明の一実施例に係るカラー電子写真画像形成装置の全体構成図である。
【図２】プロセスカートリッジの断面説明図である。
【図３】プロセスカートリッジの駆動手段を説明する図である。
【図４】プロセスカートリッジにおける現像ユニットの構成を説明する斜視図である。
【図５】プロセスカートリッジにおける現像ユニットの構成を説明する斜視図である。
【図６】本発明の一実施例に係る、画像形成装置本体のシステムブロック図である。
【図７】本発明の一実施例に係る、メモリユニットのデータ格納ブロック図である。
【図８】本発明の一実施例に係る巻き取り動作を説明するフローチャート図である。
【図９】本発明の一実施例に係る巻き取り動作を説明するタイムテーブルである。
【図１０】本発明の他の実施例に係る巻き取り動作を説明するタイムテーブルである。
【符号の説明】
【０１０５】
１（１Ｃ、１Ｙ、１Ｍ、１Ｂｋ）      電子写真感光体ドラム
２（２Ｃ、２Ｙ、２Ｍ、２Ｂｋ）      帯電手段
３（３Ｃ、３Ｙ、３Ｍ、３Ｂｋ）      スキャナユニット
４（４Ｃ、４Ｙ、４Ｍ、４Ｂｋ）      現像ユニット（プロセスユニット）
６（６Ｃ、６Ｙ、６Ｍ、６Ｂｋ）      クリーニング手段
７（７Ｃ、７Ｙ、７Ｍ、７Ｂｋ）      プロセスカートリッジ（プロセスユニット）
１１                                静電転写ベルト
１２（１２ａ〜１２ｄ）              転写ローラ
４０                                現像ローラ（現像剤担持体）
４１                                トナー容器（現像剤収納部）
４１ａ                              開口部
４１ｂ                              溶着部
４３                                現像剤供給部材
４５                                現像容器
４６                                トナーシール（封止部材）
５０                                感光体ドラムユニット
５４                                巻き取り軸
６７                                本体メモリユニット（記憶手段）
８０（８０Ｃ、８０Ｙ、８０Ｍ、８０Ｂｋ）  装着部
１００                              画像形成装置
１００Ａ                            画像形成装置本体
１０１                              本体モータ
Ｍ                                  メモリユニット（記憶手段）
【図１】
2006139231.tif 000003
【図２】
2006139231.tif 000004
【図３】
2006139231.tif 000005
【図４】
2006139231.tif 000006
【図５】
2006139231.tif 000007
【図６】
2006139231.tif 000008
【図７】
2006139231.tif 000009
【図８】
2006139231.tif 000010
【図９】
2006139231.tif 000011
【図１０】
2006139231.tif 000012